(57)【特許請求の範囲】
【請求項１】
座席の一部に垂直方向の丸穴としたカップホルダーを設け、かつトレーの一隅における縁部の下方に、前記カップホルダーと対応する筒状をなし、かつ上面にコップを差し込んで保持する穴を設けた取付部を突設し、前記トレーに設けた取付部を、カップホルダーに差し入れて、カップホルダーを中心としてトレーを回動可能として支持しうるようにしたことを特徴とするトレー装置。
【請求項２】
カップホルダーを、座席の肘掛けの前部に設けてなる請求項１記載のトレー装置。
【請求項３】
カップホルダーを、前方の座席の背凭れに設けてなる請求項１記載のトレー装置。
【請求項４】
カップホルダー及び筒状の取付部を、切頭円錐台形状のものとした請求項１記載のトレー装置。
【請求項５】
トレーにおける筒状の取付部に、上面開口する切頭円錐台形状の穴を設けた請求項４記載のトレー装置。
【請求項６】
トレーを四角形とし、その隅部に取付部を形成した請求項１〜５のいずれかに記載のトレー装置。
【請求項７】
カップホルダーの底部と取付部の底面とに相互係止手段を設け、両者を相互に係止可能とした請求項１記載のトレー装置。
【請求項８】
カップホルダーの底部に係止孔を設け、取付部の底面に、前記係止孔に係合できる係止鉤片を形成した請求項７記載のトレー装置。
【発明の詳細な説明】
【０００１】
【発明の属する技術分野】
本発明は、座席にトレーを着脱可能に取り付けて使用できるようにしたトレー装置に関する。
【０００２】
【従来の技術】
映画館、劇場、競技場等において、観覧席の肘掛けや前の席の背凭れなどにカップホルダが付いていると、飲み物を、このカップホルダに差し込んでおくことができる。
【０００３】
【発明が解決しようとする課題】
しかし、袋入りの食べ物等は、手に持っているか、膝の上に置いておくしかなく、また、トレーを借り受けたとしても、結局はトレーを膝の上に載せておくしかなかった。
いずれにしても、食べ物を食べながら、観劇や、観戦をすることが多い映画館や競技場では、従来、多くの人が不便を感じていた。
【０００４】
本発明は、上述の問題点に鑑み、トレーを着脱自在に座席に取り付けるようにすることを目的としている。
【０００５】
【課題を解決するための手段】
【０００６】
本発明によると、上記課題は、次のようにして解決される。
（１）座席の一部に垂直方向の丸穴としたカップホルダーを設け、かつトレーの一隅における縁部の下方に、前記カップホルダーと対応する筒状をなし、かつ上面にコップを差し込んで保持する穴を設けた取付部を突設し、前記トレーに設けた取付部を、カップホルダーに差し入れて、カップホルダーを中心としてトレーを回動可能として支持しうるようにする。
【０００７】
（２）上記(１)項において、カップホルダーを、座席の肘掛けの前部に設ける。
【０００８】
（３）上記(１)項において、カップホルダーを、前方の座席の背凭れに設ける。
【０００９】
（４）上記(１)において、カップホルダー及び筒状の取付部を、切頭円錐台形状のものとする。
【００１０】
（５）上記(４)項において、トレーにおける筒状の取付部に、上面開口する切頭円錐台形状の穴を設ける。
【００１１】
（６）  上記(１)〜(５)項のいずれかにおいて、トレーを四角形とし、その隅部に取付部を形成する。
【００１２】
（７）上記(１)項において、カップホルダーの底部と取付部の底面とに相互係止手段を設け、両者を相互に係止可能とする。
【００１３】
（８）上記(７)項において、カップホルダーの底部に係止孔を設け、取付部の底面に、前記係止孔に係合できる係止鉤片を形成する。
【００１４】
【発明の実施の形態】
図１は、劇場等に設けられている並列座席の中の２つを代表して示す平面図で、本発明の一実施形態のトレー装置が示されている。
各座席(Ａ)の肘掛け(１)の前端部に、カップホルダ(２)とした垂直方向の丸穴が設けられており、ここにトレー(３)が着脱可能に取り付けられる。
【００１５】
図２の部分拡大斜視図に示すように、肘掛け(１)の前端部に形成したカップホルダ(２)は、たとえば市販されている紙コップの切頭円錐台形の形状に合致した傾斜角の切頭円錐台形をなす内側面(2a)と、等分に穿設された扇形の孔(４)（この実施例では６個の孔）を全周に設けた底部(2b)とを備えている。
【００１６】
トレー(３)は、四角形の本体部分(3a)の１つの隅部に、下方に突出する取付部(５)を備えている。
取付部(５)は、カップホルダ(２)の切頭円錐台形状に合致する外側面(5a)を有し、その長さは、カップホルダ(２)の上面から底面(2b)までの長さとほぼ等しく形成されている。取付部(５)の底面(5b)には、下方に突出する係止鉤片(６)が設けられている。
【００１７】
図３に示すように、係止鉤片(６)は、前述の扇形の孔(４)に挿入しうる大きさのＴ字形の部片で、この実施例の場合、円周上に等間隔で３個配設されている。
Ｔ字の先端は円周方向を向いており、係止鉤片(６)を孔(４)に挿入させた後、取付部(５)を左右どちら側に回動させても、係止鉤片(６)は孔(４)の縁部に係止される。
【００１８】
取付部(５)には、その上面に、切頭円錐台形の外側面(5a)と同軸に、同一傾斜角の切頭円錐台形の穴(７)が形成されている（図２及び図４参照）。
この穴は、図４に示すように、コップ(８)を差し込んで保持するためのものであるが、もちろんコップ(８)は、トレー(３)の本体部分(3a)上に載置することもできる。
【００１９】
このような構造であるので、トレー(３)の取付部(５)を、図１に示すように、自分の座席の肘掛け(１)のカップホルダ(２)に所望の姿勢で差し入れ、円周方向に回動させることによって係止鉤片(６)を孔(４)に落ち込ませ、さらに回動させることによって両者を係合させる。
このようにすれば、トレー(３)は堅固に肘掛け(１)に固定される。
【００２０】
なお、トレー(３)を図１の想像線の位置とすれば、左右両座席の着席者が共通して使用することができる。
取外しに当たっては、上述とちょうど逆手順の操作をすれば、容易にトレー(３)を肘掛け(１)から外すことができる。
取り外したトレー(３)は、図５に示すように積み重ねて保存することができる。
【００２１】
図６に示す変形例では、肘掛け(１)のカップホルダ(２)の底面(2b)の中央に穿設した孔(９)に、半割の突起(10)を挿入するようにしてある。
この変形例では、カップホルダ(２)の穴、トレー(３)の取付部の外側面及び内側面はいずれも円筒形とされている。
【００２２】
図７に示す変形例では、カップホルダ(２)は、前の座席（Ａ）の背凭れ(11)に設けられ、ここに後の座席の着席者のためのトレー(３)が、着脱可能にとりつけられている。
【００２３】
【発明の効果】
請求項１記載の本発明によれば、食べ物を膝の上に置いたり手に持ったりせず、トレー上に安定して載置して観劇、観戦することが可能となる。
【００２４】
請求項２記載の発明のように、カップホルダーを、座席の肘掛けの前部に設けると、既存のカップホルダを利用して簡単にトレーを取り付けることができる。
【００２５】
請求項３記載の発明のように、カップホルダーを、前方の座席の背凭れに設けると、既存のカップホルダを利用して簡単にトレーを取り付けることができる。
【００２６】
請求項４記載の発明のように、カップホルダー及び筒状の取付部を、同一の切頭円錐台形状のものとすると、カップホルダーとトレーの取付部との摩擦係合及びトレーの積み重ね保管が可能となる。
【００２７】
請求項５記載の発明のように、トレーの取付部に、上面開口する切頭円錐台形状の穴を設けると、ここにコップを保持させることができる。
【００２８】
請求項６記載の発明のように、トレーを四角形の形状のものとし、その隅部に取付部を形成すると、トレーを回動させて着席者の都合のよい位置に置くことができる。
【００２９】
請求項７記載の発明のように、カップホルダーの底部と取付部の底面とに相互係止手段を設け、両者を相互に係止可能とすると、トレーの固定を確実なものとすることができる。
【００３０】
請求項８記載の発明のように、カップホルダーの底部に係止孔を設け、取付部の底面に、前記係止孔に係合できる係止鉤片を形成すると、係止の後もトレーの回動を容易とすることができる。
【図面の簡単な説明】
【図１】  本発明のトレー装置を備えた座席の平面図である。
【図２】  本発明のトレー装置の一実施形態の拡大分解斜視図である。
【図３】  図２に示したトレー装置のトレーの取付部を下方から見上げた部分斜視図である。
【図４】  肘掛けのカップホルダにトレーを嵌合させ、さらにコップを載置した状況を示す斜視図である。
【図５】  取り外したトレーを積み重ねた状況を示す斜視図である。
【図６】  本発明の変形例の部分縦断面図である。
【図７】  本発明の別な変形例のトレー装置を備える座席の平面図である。
【符号の説明】
(Ａ)座席
(１)肘掛け
(２)カップホルダ（垂直方向の丸穴）
(2a)内側面
(2b)底部
(３)トレー
(3a)本体部分
(４)扇形の孔
(５)取付部
(5a)外側面
(６)係止鉤片
(７)穴
(８)コップ
(９)丸孔
(10)突起
(11)背凭れ
【図１】
0004094726.tif 000002
【図２】
0004094726.tif 000003
【図３】
0004094726.tif 000004
【図４】
0004094726.tif 000005
【図５】
0004094726.tif 000006
【図６】
0004094726.tif 000007
【図７】
0004094726.tif 000008